(57)【特許請求の範囲】
【請求項１】
親局と子局との間で送受信される無線信号を中継する中継局を含んで構成される無線通信システムにおいて、
前記中継局は、
あらかじめ優先度が設定され、前記無線信号を中継する複数の機能と、
前記複数の機能をそれぞれ実行する複数の部位と、を有し、
前記複数の部位のいずれかに異常が発生した場合、前記異常が発生した部位の機能よりも優先度が低い機能を実行していた部位が、前記異常が発生した部位の機能を代行して実行するように切り替える制御を行うことを特徴とする無線通信システム。
【請求項２】
前記中継局は、
前記親局から前記子局に向かう無線信号を中継する下り中継機能を実行する部位として、親局からの無線信号をアプローチ波として受信するアプローチ波用無線受信ユニットと、該アプローチ波用無線受信ユニットが受信した前記アプローチ波を前記子局に対するサービス波に変換して前記子局に対して送信するサービス波用無線送信ユニットと、を少なくとも備え、
前記子局から前記親局に向かう無線信号を中継する上り中継機能を実行する部位または前記下り中継機能を代行して実行する部位として、前記子局からの無線信号をサービス波として受信する、または、前記親局からの無線信号をアプローチ波として受信するサービス波用無線受信ユニットと、該サービス波用無線受信ユニットが受信した前記サービス波を前記親局に対するアプローチ波に変換して前記親局に対して送信する、または、前記アプローチ波用無線受信ユニットまたは前記サービス波用無線受信ユニットが受信した前記アプローチ波を前記子局に対するサービス波に変換して前記子局に対して送信するアプローチ波用無線送信ユニットと、を少なくとも備え、
かつ、前記下り中継機能を前記上り中継機能よりも優先度が高い機能としてあらかじめ設定し、
前記下り中継機能の受信機能を実行する前記アプローチ波用無線受信ユニットに異常が発生した場合は、異常が発生した前記アプローチ波用無線受信ユニットに代わって、前記サービス波用無線受信ユニットが、前記下り中継機能の受信機能を代行して実行するように制御し、
前記下り中継機能の送信機能を実行する前記サービス波用無線送信ユニットに異常が発生した場合は、異常が発生した前記サービス波用無線送信ユニットに代わって、前記アプローチ波用無線送信ユニットが、前記下り中継機能の送信機能を代行して実行するように制御する
ことを特徴とする請求項１に記載の無線通信システム。
【請求項３】
前記中継局は、前記親局と前記子局との間の無線信号を中継する中継機能のみならず、前記子局としての機能を併せ持つ再送信子局として構成されていることを特徴とする請求項１または２に記載の無線通信システム。
【請求項４】
親局と子局との間で送受信される無線信号を中継する中継局において、
あらかじめ優先度が設定され、前記無線信号を中継する複数の機能と、
前記複数の機能をそれぞれ実行する複数の部位と、を有し、
前記複数の部位のいずれかに異常が発生した場合、前記異常が発生した部位の機能よりも優先度が低い機能を実行していた部位が、前記異常が発生した部位の機能を代行して実行するように切り替える制御を行うことを特徴とする中継局。
【請求項５】
前記親局から前記子局に向かう無線信号を中継する下り中継機能を実行する部位として、親局からの無線信号をアプローチ波として受信するアプローチ波用無線受信ユニットと、該アプローチ波用無線受信ユニットが受信した前記アプローチ波を前記子局に対するサービス波に変換して前記子局に対して送信するサービス波用無線送信ユニットと、を少なくとも備え、
前記子局から前記親局に向かう無線信号を中継する上り中継機能を実行する部位または前記下り中継機能を代行して実行する部位として、前記子局からの無線信号をサービス波として受信する、または、前記親局からの無線信号をアプローチ波として受信するサービス波用無線受信ユニットと、該サービス波用無線受信ユニットが受信した前記サービス波を前記親局に対するアプローチ波に変換して前記親局に対して送信する、または、前記アプローチ波用無線受信ユニットまたは前記サービス波用無線受信ユニットが受信した前記アプローチ波を前記子局に対するサービス波に変換して前記子局に対して送信するアプローチ波用無線送信ユニットと、を少なくとも備え、
かつ、前記下り中継機能を前記上り中継機能よりも優先度が高い機能としてあらかじめ設定し、
前記下り中継機能の受信機能を実行する前記アプローチ波用無線受信ユニットに異常が発生した場合は、異常が発生した前記アプローチ波用無線受信ユニットに代わって、前記サービス波用無線受信ユニットが、前記下り中継機能の受信機能を代行して実行するように制御し、
前記下り中継機能の送信機能を実行する前記サービス波用無線送信ユニットに異常が発生した場合は、異常が発生した前記サービス波用無線送信ユニットに代わって、前記アプローチ波用無線送信ユニットが、前記下り中継機能の送信機能を代行して実行するように制御する
ことを特徴とする請求項４に記載の中継局。
【請求項６】
前記親局と前記子局との間の無線信号を中継する中継機能のみならず、前記子局としての機能を併せ持つ再送信子局として構成されていることを特徴とする請求項４または５に記載の中継局。
【請求項７】
親局と子局との間で送受信される無線信号を中継する複数の機能と、前記複数の機能をそれぞれ実行する複数の部位と、を有する中継局における無線通信制御方法であって、
前記複数の機能にあらかじめ優先度を設定し、
前記複数の部位のいずれかに異常が発生した場合、前記異常が発生した部位の機能よりも優先度が低い機能を実行していた部位が、前記異常が発生した部位の機能を代行して実行するように切り替える制御を行うことを特徴とする無線通信制御方法。
【請求項８】
前記中継局は、
前記親局から前記子局に向かう無線信号を中継する下り中継機能を実行する部位として、親局からの無線信号をアプローチ波として受信するアプローチ波用無線受信ユニットと、該アプローチ波用無線受信ユニットが受信した前記アプローチ波を前記子局に対するサービス波に変換して前記子局に対して送信するサービス波用無線送信ユニットと、を少なくとも備え、
前記子局から前記親局に向かう無線信号を中継する上り中継機能を実行する部位または前記下り中継機能を代行して実行する部位として、前記子局からの無線信号をサービス波として受信する、または、前記親局からの無線信号をアプローチ波として受信するサービス波用無線受信ユニットと、該サービス波用無線受信ユニットが受信した前記サービス波を前記親局に対するアプローチ波に変換して前記親局に対して送信する、または、前記アプローチ波用無線受信ユニットまたは前記サービス波用無線受信ユニットが受信した前記アプローチ波を前記子局に対するサービス波に変換して前記子局に対して送信するアプローチ波用無線送信ユニットと、を少なくとも備え、
かつ、前記下り中継機能を前記上り中継機能よりも優先度が高い機能としてあらかじめ設定し、
前記下り中継機能の受信機能を実行する前記アプローチ波用無線受信ユニットに異常が発生した場合は、異常が発生した前記アプローチ波用無線受信ユニットに代わって、前記サービス波用無線受信ユニットが、前記下り中継機能の受信機能を代行して実行するように制御し、
前記下り中継機能の送信機能を実行する前記サービス波用無線送信ユニットに異常が発生した場合は、異常が発生した前記サービス波用無線送信ユニットに代わって、前記アプローチ波用無線送信ユニットが、前記下り中継機能の送信機能を代行して実行するように制御する
ことを特徴とする請求項７に記載の無線通信制御方法。
【請求項９】
前記中継局は、前記親局と前記子局との間の無線信号を中継する中継機能のみならず、前記子局としての機能を併せ持つ再送信子局として構成されていることを特徴とする請求項７または８に記載の無線通信制御方法。
【請求項１０】
親局と子局との間で送受信される無線信号を中継する複数の機能と、前記複数の機能をそれぞれ実行する複数の部位と、を有する中継局に実行させる無線通信制御プログラムであって、
前記複数の機能にあらかじめ優先度を設定し、
前記複数の部位のいずれかに異常が発生した場合、前記異常が発生した部位の機能よりも優先度が低い機能を実行していた部位が、前記異常が発生した部位の機能を代行して実行するように切り替える制御を行うことを中継局に実行させる無線通信制御プログラム。
【発明の詳細な説明】
【技術分野】
【０００１】
本発明は、無線通信システム、中継局、無線通信制御方法および無線通信制御プログラムに関し、特に、中継機能に異常が発生した場合の対処機能を有する無線通信システム、中継局、無線通信制御方法および無線通信制御プログラムに関する。本発明は、災害発生時の緊急防災同報を発する６０ＭＨｚ帯デジタル同報防災無線システムや６０ＭＨｚ帯アナログ同報防災無線システムにも好適に適用することができる
【背景技術】
【０００２】
従来より、災害発生時に、親局から各子局に対して直接または中継局を介して緊急防災用の同報無線を用いて災害発生警報を送信して、子局から屋内外に設置された拡声装置を介して当該災害地域に居る人々や付近の住民に対して災害発生警報を拡声放送する仕組みが取り入れられている。
【０００３】
ここで、中継局は、特許文献１の特開２００２−１５８６１１号公報「防災無線遠隔制御装置」にも記載されているように、一般に、子局としての機能も併せ持つ再送信機能付きの再送信子局の形態として利用されている。また、中継局は、親局からの子局に対する下り方向の無線信号として、前述のような災害発生警報等の通報信号の他にポーリング信号も扱うのみならず、子局から親局に向かう上り方向の無線信号として、アンサバック信号等の信号も扱うように構成されている。
【先行技術文献】
【特許文献】
【０００４】
【特許文献１】特開２００２−１５８６１１号公報（第２−３頁）
【発明の開示】
【発明が解決しようとする課題】
【０００５】
しかしながら、前記特許文献１等の従来技術においては、中継局に異常が発生した場合、異常になった部位に関連する信号を中継することができなくなり、特に、防災無線システムに適用するような場合に、親局から子局に向かう下り方向の無線信号に関連する部位に異常が発生した場合、親局から子局に対して送信する災害発生警報等の、災害発生時において優先度が高い重要な通報信号を中継することができなくなり、災害発生地域に居る人々や地域住民に対して災害発生警報を拡声放送することができなくなるという重大な問題が発生する。
【０００６】
（本発明の目的）
本発明は、かかる問題に鑑みてなされたものであり、親局と子局との間で中継局を介して無線信号を送受信する際に、中継局の関連部位に異常が発生した場合、機能の優先度を参酌して、異常が発生した該関連部位の機能の優先度が高い場合には、当該関連部位の機能の実行を他の部位によって代行させることにより、優先度が高い機能を継続して実行させることが可能な無線通信システム、中継局、無線通信制御方法および無線通信制御プログラムを提供することを、その目的としている。
【課題を解決するための手段】
【０００７】
前述の課題を解決するため、本発明による無線通信システム、中継局、無線通信制御方法および無線通信制御プログラムは、主に、次のような特徴的な構成を採用している。
【０００８】
（１）本発明による無線通信システムは、親局と子局との間で送受信される無線信号を中継する機能を有する中継局を含んで構成される無線通信システムにおいて、前記中継局は、或る部位に異常が発生した場合、当該中継局において実行する１ないし複数の機能についてあらかじめ設定した優先度を参酌して、優先度が高い機能を実行する部位に異常が発生した場合には、異常が発生した該部位に代わって、優先度が低い機能を実行していた部位が、前記優先度が高い機能を代行して実行するように切り替える制御を行うことにより、該優先度の高い機能を継続して実行させることを特徴とする。
【０００９】
（２）本発明による中継局は、親局と子局との間で送受信される無線信号を中継する機能を有する中継局において、或る部位に異常が発生した場合、保有する１ないし複数の機能についてあらかじめ設定した優先度を参酌して、優先度が高い機能を実行する部位に異常が発生した場合には、異常が発生した該部位に代わって、優先度が低い機能を実行していた部位が、前記優先度が高い機能を代行して実行するように切り替える制御を行うことにより、該優先度の高い機能を継続して実行させることを特徴とする。
【００１０】
（３）本発明による無線通信制御方法は、親局と子局との間で送受信される無線信号を中継する機能を有する中継局を含んで構成される無線通信システムにおける無線通信制御方法であって、前記中継局は、或る部位に異常が発生した場合、当該中継局において実行する１ないし複数の機能についてあらかじめ設定した優先度を参酌して、優先度が高い機能を実行する部位に異常が発生した場合には、異常が発生した該部位に代わって、優先度が低い機能を実行していた部位が、前記優先度が高い機能を代行して実行するように切り替える制御を行うことにより、該優先度の高い機能を継続して実行させることを特徴とする。
【００１１】
（３）本発明による無線通信制御プログラムは、少なくとも前記（３）に記載の無線通信制御方法を、コンピュータによって実行可能なプログラムとして実施していることを特徴とする。
【発明の効果】
【００１２】
本発明の無線通信システム、中継局、無線通信制御方法および無線通信制御プログラムによれば、以下のような効果を奏することができる。
【００１３】
すなわち、親局と子局との間の無線信号を中継する中継局（あるいは、中継機能以外に子局の機能も併せ持つ再送信子局）が有する複数の機能のうち、優先度が高い機能に使用される部位に故障等の異常が発生した場合、異常が発生した当該部位に代わって、優先度が低い機能に使用される部位によって当該優先度が高い機能を実施するという「代行動作」を実施する制御を行うので、優先度が高い機能を継続してサービスすることが可能であり、無線通信システムとしてのサービス性を向上させることができる。
【００１４】
例えば、無線通信システムを防災無線用として用いる場合、災害発生警報等の通報情報となる親局から子局へ向かう信号の中継機能に関する優先度を高く設定して、親局から子局に向かう下り方向の無線信号の中継を行う下り中継機能に使用する送受信部位の異常が中継局（または再送信子局）に発生した場合には、子局から親局に向かう上り方向の無線信号の中継を行う上り中継機能に使用する送受信部位によって、優先度が高い下り方向の無線信号の送受信部位の代行動作を行うように制御する。而して、下り方向の無線信号の送受信部位の異常が中継局に発生した場合であっても、優先度が高い親局からの無線信号を子局側に中継することができ、地域住民等に対して災害発生警報等の重要情報を通報したり拡声放送したりするサービスを継続して提供することができる。
【図面の簡単な説明】
【００１５】
【図１】本発明による無線通信システムの構成例を示すシステム構成図である。
【図２】図１に示した再送信子局の内部構成の一例を説明するためのブロック構成図である。
【発明を実施するための形態】
【００１６】
以下、本発明による無線通信システム、中継局、無線通信制御方法および無線通信制御プログラムの好適な実施形態について添付図を参照して説明する。なお、以下の説明においては、本発明による無線通信システム、中継局および無線通信制御方法について説明するが、かかる無線通信制御方法をコンピュータにより実行可能な無線通信制御プログラムとして実施するようにしても良いし、あるいは、無線通信制御プログラムをコンピュータにより読み取り可能な記録媒体に記録するようにしても良いことは言うまでもない。
【００１７】
（本発明の特徴）
本発明の実施形態の説明に先立って、本発明の特徴についてその概要をまず説明する。本発明は、親局と子局との間の無線信号を中継する中継局において、該中継局が有する１ないし複数の機能のうち、優先度の高い機能に使用する各部位のいずれかに異常が発生した場合に、優先度が低い機能に使用する部位を、異常が発生した部位に代わって、当該優先度の高い機能に使用するという「代行動作」を行うように制御することにより、当該優先度の高い機能を継続して使用することを可能にすることを主要な特徴としている。
【００１８】
例えば、本無線通信システムを防災無線システムとして利用する場合、災害発生時の災害発生警報等の通報情報を親局から子局に向かって送信するような場合に備えて、親局から子局に向かう下り方向の無線信号を中継する下り中継機能の優先度を最も高いものとあらかじめ設定することにより、親局から子局に向かう下り方向の無線信号を中継する下り信号の送受信部位に異常が発生した場合には、優先度がより低い部位による代行動作を行わせること、つまり、子局から親局に向かう上り方向の無線信号を中継する上り信号の送受信部位によって、下り信号の送受信部位の機能を代行して動作させることを主要な特徴とし、而して、災害発生警報等の優先度が高い通報信号を親局から子局側に中継する機能を確実に維持することが可能になり、子局に備えた戸別受信機や屋外拡声装置から親局からの災害発生警報等の通報情報を地域住民等に確実に通報したり拡声放送したりすることができる。
【００１９】
なお、中継局は、無線信号の中継機能のみならず、子局としての機能（すなわち、屋外拡声装置と戸別受信機とに関する機能）をも併せ持つ形態として、すなわち、「再送信子局」として構成するようにしても構わない。以下の実施形態においては、中継局を「再送信子局」として構成する場合を例にとって説明する。
【００２０】
（実施形態の構成例）
次に、本発明による無線通信システムの実施形態の構成例について図１を用いてまず説明する。図１は、本発明による無線通信システムの構成例を示すシステム構成図であり、前述のように、中継局として、子局機能も併せ持つ「再送信子局」を用いている場合を示している。
【００２１】
図１に示す無線通信システムは、操作卓１と基地局２とを少なくとも含んで構成される親局３と、中継局としての機能と子局としての機能とを併せ持つ再送信子局４と、屋外拡声装置５と戸別受信機６とを少なくとも含んで構成される子局７から構成される。なお、図１には、１台の親局３に対して、再送信子局４および子局７がそれぞれ１台ずつ配置されている例を示しているが、再送信子局４および子局７はそれぞれ複数台配置した構成であっても勿論構わない。
【００２２】
図１に示す無線通信システムにおいて、親局３からの無線信号は、例えば災害発生時における災害発生警報等の通報信号や子局７からの信号の有無を問い合わせるポーリング信号等の上り方向のアプローチ波８であり、中継局である再送信子局４を介してまたは直接子局７に対して送信される。アプローチ波８を受信した再送信子局４においては、アプローチ波８を子局７向けの無線信号であるサービス波９に変換して子局７に対して送信する。
【００２３】
また、逆に、子局７からの無線信号は、例えば親局３からの問い合わせに対するアンサバック信号等を親局３に対して送信する上り方向のサービス波９であり、中継局である再送信子局４を介してまたは直接親局３に対して送信される。サービス波９を受信した再送信子局４においては、サービス波９を親局３向けの無線信号であるアプローチ波８に変換して親局３に対して送信する。
【００２４】
次に、中継機能と子局機能との双方の機能を併せ持つ再送信子局４の内部構成についてその一例を、図２を用いて説明する。図２は、図１に示した再送信子局４の内部構成の一例を説明するためのブロック構成図であり、上り方向と下り方向との双方の中継機能を中心にして示し、子局機能については、拡声放送用のスピーカ１７のみに限って示している。
【００２５】
つまり、図２に示す再送信子局４は、アプローチ波用無線送信ユニット１３、アプローチ波用無線受信ユニット１４、サービス波用無線送信ユニット１５、サービス波用無線受信ユニット１６およびスピーカ１７を少なくとも備えて構成されており、図２（Ａ）に太枠で示す部位からなる拡声放送機能１０、図２（Ｂ）に太枠で示す部位からなる下り中継機能１１、図２（Ｃ）に太枠で示す部位からなる上り中継機能１２を少なくとも有している。ここで、アプローチ波用無線送信ユニット１３、アプローチ波用無線受信ユニット１４は、親局３の基地局２との間で無線信号（アプローチ波８）の送受信を行う部位である。また、サービス波用無線送信ユニット１５、サービス波用無線受信ユニット１６は、子局７との間で無線信号（サービス波９）の送受信を行う部位である。
【００２６】
図２（Ａ）に示すように、拡声放送機能１０は、親局３からの下り方向の無線信号をアプローチ波８として受信して、スピーカ１７から拡声放送する。また、図２（Ｂ）に示すように、下り中継機能１１は、親局３からアプローチ波８として受信した下り方向の無線信号を親局３の基地局２のエリア外に設置されている子局７に対して中継するために変換して、変換した無線信号をサービス波９として子局７に対して送信する。また、図２（Ｃ）に示すように、上り中継機能１２は、親局３の基地局２のエリア外に設置されている子局７からサービス波９として受信した上り方向の無線信号を親局３に対して中継するために変換して、変換した無線信号をアプローチ波８として親局３に対して送信する。
【００２７】
以上のように、再送信子局４においては、拡声放送機能１０をサービスする場合は、アプローチ波用無線受信ユニット１４とスピーカ１７とを使用する。また、下り中継機能１１をサービスする場合は、アプローチ波用無線受信ユニット１４とサービス波用無線送信ユニット１５とを使用する。また、上り中継機能１２をサービスする場合は、アプローチ波用無線送信ユニット１３とサービス波用無線受信ユニット１６とを使用する。
【００２８】
ここで、本実施形態においては、拡声放送機能１０、下り中継機能１１、上り中継機能１２の各機能のうち、優先度が高い機能に使用されるいずれかの部位に関して異常が発生した場合には、優先度が低い機能に使用されていた部位を、異常が発生した当該部位に代わって、優先度が高い機能に使用するように切り替えて、「代行動作」を行わせるように制御している。
【００２９】
本実施形態においては、拡声放送機能１０、下り中継機能１１、上り中継機能１２の各機能に関する優先度として、下り中継機能１１、拡声放送機能１０、上り中継機能１２の順番に高い優先度になるようにあらかじめ設定している。
【００３０】
このため、上り中継機能１２の送信機能を実行するアプローチ波用無線送信ユニット１３には、「代行動作」を実施する場合に備えて、サービス波用無線受信ユニット１６からのサービス波９をアプローチ波８に変換して親局３に対して送信する機能のみならず、アプローチ波用無線受信ユニット１４またはサービス波用無線受信ユニット１６からのアプローチ波８をサービス波９に変換して子局７に対して送信する機能も付与している。
【００３１】
同様に、上り中継機能１２の受信機能を実行するサービス波用無線受信ユニット１６には、「代行動作」を実施する場合に備えて、子局７からのサービス波９を受信してアプローチ波用無線送信ユニット１３に対して転送する機能のみならず、親局３からのアプローチ波８を受信してサービス波用無線送信ユニット１５またはアプローチ波用無線送信ユニット１３に対して転送する機能も付与している。
【００３２】
例えば、災害発生時の防災無線システムとして図１に示す本無線通信システムを使用する場合に備えて、如何なる状況下においても、災害発生警報等の通報情報を地域住民に確実に伝達することができるように、前述したように、親局３から子局７に向かって下り方向に無線信号を中継する下り中継機能１１を優先度が最も高い機能としてあらかじめ位置付け、次に、親局３からの無線信号（アプローチ波８)により送信されてきた通報情報をスピーカ１７から地域住民等に対して拡声放送を行う拡声放送機能１０を優先度が第２番目に高い機能としてあらかじめ位置付ける。
【００３３】
したがって、かかる場合においては、例えば、優先度が最も高い下り中継機能１１に使用されるアプローチ波用無線受信ユニット１４とサービス波用無線送信ユニット１５とのいずれか一方または双方に異常が発生した場合には、異常が発生した部位に代わって、優先度が最も低い上り中継機能１２において使用されるサービス波用無線受信ユニット１６とアプローチ波用無線送信ユニット１３とのいずれか一方または双方を、下り中継機能１１に切り替えて使用するように制御する。
【００３４】
なお、再送信子局４と子局７との間で送受信されるサービス波９は、親局３との間で送受信されるアプローチ波８とは異なる特性を有する無線信号であっても良いし、あるいは、アプローチ波８と同一の特性を有する無線信号を整形増幅したものを、親局３からのアプローチ波８と混信しないように、放射方向を絞って、当該親局３のエリア外に存在する子局７に向かって再送信するようにしても良い。
【００３５】
（実施形態の動作の説明）
次に、図１、図２に示した無線通信システムの動作の一例として、中継局である再送信子局４の或る部位に故障等の何らかの異常が発生した場合の「代行動作」について説明する。
【００３６】
一般に、今までの再送信子局４においては、「代行動作」を行う制御を実施していないため、再送信子局４のいずれかの部位に異常が発生した場合、異常が発生した部位に冗長構成が採用されていなかった場合には、異常が発生した部位を使用する機能を動作させることができなくなり、当該機能が停止してしまうことになる。したがって、例えば、防災無線システムとして使用している場合に、下り中継機能１１に使用するアプローチ波用無線受信ユニット１４とサービス波用無線送信ユニット１５とのいずれか一方または双方に異常が発生した場合には、下り中継機能１１を動作させることができなくなる。この結果、災害発生警報等の通報情報を子局７の屋外拡声装置５や戸別受信機６から地域住民等に通報しようとして、親局３から送信したとしても、再送信子局４からは下り方向の無線信号（サービス波９）を子局７側に中継することができなく、防災無線システムとして著しい機能低下が生じてしまう。
【００３７】
これに対して、本実施形態においては、前述のように、再送信子局４には、優先度が高い機能に使用するいずれかの部位に異常が発生した場合には、当該優先度が高い機能を継続して実行することができるように、異常が発生した部位に代わって、優先度が低い機能に使用している部位を当該優先度が高い機能に使用するという「代行動作」を行う制御を採用している。本実施形態においては、再送信子局４の拡声放送機能１０、下り中継機能１１、上り中継機能１２の各機能にあらかじめ付与した優先順として、前述したように、下り中継機能１１、拡声放送機能１０、上り中継機能１２の順番に優先度が高い機能として設定している。
【００３８】
したがって、優先度が最も高い下り中継機能１１および第２番目に優先度が高い拡声放送機能１０に使用するアプローチ波用無線受信ユニット１４に異常が発生した場合には、優先度が最も高い下り中継機能１１および第２番目に優先度が高い拡声放送機能１０のサービス停止を回避するために、優先度が最も低い上り中継機能１２に使用しているサービス波用無線受信ユニット１６を、異常が発生したアプローチ波用無線受信ユニット１４に代わって、下り中継機能１１および拡声放送機能１０に使用する「代行動作」（すなわち、親局３からのアプローチ波８を受信してサービス波用無線送信ユニット１５に転送する動作）に切り替える。この「代行動作」の結果、優先度が最も高い下り中継機能１１および第２番目に優先度が高い拡声放送機能１０のサービスを継続して実施することができるようになる一方、優先度が最も低い上り中継機能１２のサービスは停止することになる。
【００３９】
また、優先度が最も高い下り中継機能１１に使用するもう一方の部位であるサービス波用無線送信ユニット１５に異常が発生した場合についても、第２番目に優先度が高い拡声放送機能１０のサービスを引き続き継続させるのみならず、優先度が最も高い下り中継機能１１のサービス停止を回避するために、優先度が最も低い上り中継機能１２に使用しているアプローチ波用無線送信ユニット１３を、異常が発生したサービス波用無線送信ユニット１５に代わって、下り中継機能１１に使用する「代行動作」（すなわち、アプローチ波用無線受信ユニット１４からのアプローチ波８をサービス波９に変換して子局７に対して送信する動作）に切り替える。この「代行動作」の結果、優先度が最も高い下り中継機能１１のサービスを継続して実施することができるようになる一方、優先度が最も低い上り中継機能１２のサービスは停止することになる。
【００４０】
また、優先度が最も高い下り中継機能１１および第２番目に優先度が高い拡声放送機能１０に使用するアプローチ波用無線受信ユニット１４、および、優先度が最も高い下り中継機能１１に使用するサービス波用無線送信ユニット１５の双方の部位に異常が発生した場合についても、優先度が最も高い下り中継機能１１および第２番目に優先度が高い拡声放送機能１０の双方のサービス停止を回避するために、優先度が最も低い上り中継機能１２に使用しているサービス波用無線受信ユニット１６およびアプローチ波用無線送信ユニット１３の双方の部位を、異常が発生したアプローチ波用無線受信ユニット１４およびサービス波用無線送信ユニット１５に代わって、下り中継機能１１および拡声放送機能１０に使用する「代行動作」（すなわち、サービス波用無線受信ユニット１６により親局３からのアプローチ波８を受信してアプローチ波用無線送信ユニット１３に転送し、アプローチ波用無線送信ユニット１３によりサービス波用無線受信ユニット１６からのアプローチ波８をサービス波９に変換して子局７に対して送信する動作）に切り替える。この「代行動作」の結果、優先度が最も高い下り中継機能１１および第２番目に優先度が高い拡声放送機能１０のサービスを継続して実施することができるようになる一方、優先度が最も低い上り中継機能１２のサービスは停止することになる。
【００４１】
一方、優先度が最も低い上り中継機能１２に使用するサービス波用無線受信ユニット１６およびアプローチ波用無線送信ユニット１３のいずれか一方または双方に異常が発生した場合には、「代行動作」を行うことなく、異常が発生した部位を使用する優先度が最も低い上り中継機能１２のサービスを停止させる制御を行う。しかし、かかる場合においても、優先度が最も低い上り中継機能１２のサービスは停止するものの、優先度が最も高い下り中継機能１１および第２番目に優先度が高い拡声放送機能１０のサービスは継続して実施することができる。
【００４２】
なお、以上の説明においては、中継局として、子局機能（屋外拡声装置５や戸別受信機６による機能）をも併せ持つ再送信子局４を用いる場合について説明したが、再送信子局４ではなく、子局機能がなく、中継機能のみを有する純粋な中継局からなっている場合であっても、全く同様の「代行動作」を行うように制御することができる。
【００４３】
ただし、純粋な中継局として構成する場合には、中継局を現用・予備の冗長構成を用いて構成することが一般的である。したがって、中継局をかくのごとき冗長構成を用いて構成している場合において、中継局に異常が発生した場合には、まず、現用予備の切り替え動作を実施し、現用予備の切り替えによって、発生していた異常が解消した場合には、そのまま、中継局としての機能を継続する制御を行う。一方、現用予備の切り替え動作を実施した以降においても、異常が継続して発生する場合には、前述のような機能の優先度に応じた「代行動作」を実施することにより、優先度が低い機能の動作は停止するものの、優先度が高い機能を引き続き動作させることを可能にするように制御する。
【００４４】
また、図２に示した再送信子局４には、子局機能として、拡声放送用のスピーカ１７のみを示しているが、かかる場合のみに限るものではなく、図１の子局７にも示しているように、子局機能として、屋外の人々に対して拡声放送を行う屋外拡声装置５や、屋内の住民への通報用の戸別受信機６を備えるように構成しても勿論構わない。
【００４５】
また、再送信子局４から子局７に対して送信するサービス波９は、親局３からのアプローチ波８とは異なる特性を有する無線信号、例えば、ＦＭラジオ等によって受信することが可能なＦＭ放送波を用いるようにしても良いが、かかる場合のみに限らず、親局３からのアプローチ波８を整形増幅して、該アプローチ波８と全く同一の特性を有する無線信号として再送信するようにしても勿論構わない。
【００４６】
（本実施形態の効果の説明）
以上に詳細に説明したように、本実施形態においては、次のような効果が得られる。
【００４７】
すなわち、親局３と子局７との間の無線信号を中継する中継局（あるいは、中継機能以外に子局の機能も併せ持つ再送信子局４）が有する複数の機能のうち、優先度が高い機能に使用される部位に故障等の異常が発生した場合、異常が発生した当該部位に代わって、優先度が低い機能に使用される部位によって、当該優先度が高い機能を実施するという「代行動作」を実施する制御を行うので、優先度が高い機能を継続してサービスすることが可能であり、無線通信システムとしてのサービス性を向上させることができる。
【００４８】
例えば、無線通信システムを防災無線用として用いる場合、親局３と子局７との間で送受信される情報の特性を参酌して、災害発生警報等の通報情報を親局３から子局７に向けて送信する下り中継機能１１を最も優先度が高い機能とし、スピーカ１７から拡声放送を行う拡声放送機能１０を第２番目に優先度が高い機能とし、子局７から親局３に向けてアンサバック等の情報を送信する上り中継機能１２を最も優先度が低い機能としてあらかじめ設定しておく。
【００４９】
かくのごとき優先度をあらかじめ設定した中継局（または再送信子局４）において、優先度が最も高い下り中継機能１１や第２番目に優先度が高い拡声放送機能１０に使用するアプローチ波用無線受信ユニット１４、サービス波用無線送信ユニット１５のいずれか一方または双方に異常が発生した場合には、異常が発生したアプローチ波用無線受信ユニット１４、サービス波用無線送信ユニット１５に代わって、優先度が最も低い上り中継機能１２に使用しているサービス波用無線受信ユニット１６、アプローチ波用無線送信ユニット１３の一方または双方を、当該優先度が最も高い下り中継機能１１や第２番目に優先度が高い拡声放送機能１０に用いるという「代行動作」を行うように制御することによって、優先度が最も高い下り中継機能１１や第２番目に優先度が高い拡声放送機能１０の機能を継続して動作させることができる。
【００５０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５１】
１      操作卓
２      基地局
３      親局
４      再送信子局
５      屋外拡声装置
６      戸別受信機
７      子局
８      アプローチ波
９      サービス波
１０    拡声放送機能
１１    下り中継機能
１２    上り中継機能
１３    アプローチ波用無線送信ユニット
１４    アプローチ波用無線受信ユニット
１５    サービス波用無線送信ユニット
１６    サービス波用無線受信ユニット
１７    スピーカ
【図１】
0006007581.tif 000002
【図２】
0006007581.tif 000003